(57)【要約】【課題】  同軸ケーブルの損失による悪影響を回避して通信が行える時分割双方向無線通信中継装置を得る。【解決手段】  親局装置から通信すべき部屋に同軸ケーブルで接続して時分割双方向無線通信中継装置を設ける。この中継装置は、部屋側には両端をそれぞれ分配器２１，２２で分岐接続した下り通信回線２３と上り通信回線２４とを設ける。一方の分配器２１は、親局装置から部屋に至る同軸ケーブルに接続し、他方の分配器２２には部屋のアンテナ１５に接続し、下り回線２３と上り回線２４には高周波信号を増幅する増幅器２６，２７をそれぞれ接続する。【選択図】    図３
2005109631.tif 000002
【特許請求の範囲】
【請求項１】
親局装置と通信すべき部屋との間に同軸ケーブルで接続されて配置された時分割双方向無線通信中継装置において、
前記部屋側には両端がそれぞれ分配器で分岐接続された下り通信回線と上り通信回線とが設けられ、一方の前記分配器は前記親局装置から該部屋に至る前記同軸ケーブルに接続され、他方の前記分配器には前記部屋のアンテナに接続されるようになっており、前記上り回線と前記下り回線には高周波信号を増幅する増幅器がそれぞれ接続されていることを特徴とする時分割双方向無線通信中継装置。
【請求項２】
親局装置と通信すべき部屋との間に同軸ケーブルで接続されて配置された時分割双方向無線通信中継装置において、
前記各部屋側には両端がそれぞれ分配器で分岐接続された下り通信回線と上り通信回線とがそれぞれ設けられ、一方の前記分配器は前記親局装置から該部屋に至る前記同軸ケーブルに接続され、他方の前記分配器には該部屋のアンテナに接続されるようになっており、前記上り回線と前記下り回線には高周波信号を増幅する増幅器がそれぞれ接続されていることを特徴とする時分割双方向無線通信中継装置。
【請求項３】
前記上り回線と前記下り回線の前記各増幅器は、一方の前記分配器に接続される前記同軸ケーブルの損失分を増幅するものであることを特徴とする請求項１または２に記載の時分割双方向無線通信中継装置。  
【請求項４】
前記上り回線と前記下り回線には周波数特性可変回路がそれぞれ接続され、前記周波数特性可変回路の周波数特性は一方の前記分配器に接続される前記同軸ケーブルの損失対周波数特性の補償となる周波数特性となっていることを特徴とする請求項１乃至３のいずれか１項に記載の時分割双方向無線通信中継装置。
【請求項５】
前記部屋側の前記中継装置には前記親局装置の電源から前記同軸ケーブルの中心導体を経て給電されるようになっていることを特徴とする請求項１乃至４のいずれか１項に記載の時分割双方向無線通信中継装置。
【請求項６】
親局装置に親局側中継モジュールが接続され、前記親局装置から通信すべき部屋に子機側中継モジュールが設置され、該子機側中継モジュールには子機側中継器アンテナが設けられ、前記親局側中継モジュールと前記子機側中継モジュールとは同軸ケーブルで接続されて中継装置が構成され、
前記通信すべき部屋には異なる通信システムのいずれかの子機または異なる通信システムの子機が配置され、前記子機には子機側アンテナが設けられ、
前記子機側中継モジュールは両端がそれぞれ分配器で分岐接続された下り通信回線と上り通信回線とを備え、一方の前記分配器は前記親局装置から該部屋に至る前記同軸ケーブルに接続され、他方の前記分配器には前記子機側中継器アンテナに接続され、前記上り回線と前記下り回線には前記同軸ケーブルの損失分を増幅する増幅器と前記同軸ケーブルの損失対周波数特性の補償となる周波数特性をもつ周波数特性可変回路とがそれぞれ接続されて構成され、
前記親局装置には前記同軸ケーブルに分配器を介して異なる通信システムの送受信機が接続されていることを特徴とする時分割双方向無線通信装置。
【請求項７】
親局装置に親局側中継モジュールが接続され、前記親局装置から通信すべき複数の部屋に子機側中継モジュールがそれぞれ設置され、前記各子機側中継モジュールには子機側中継器アンテナがそれぞれ設けられ、前記親局側中継モジュールと前記各子機側中継モジュールとは同軸ケーブルで個々に接続されて中継装置が構成され、
前記通信すべき部屋には異なる通信システムのいずれかの子機または異なる通信システムの子機が配置され、前記各子機には子機側アンテナがそれぞれ設けられ、
前記各子機側中継モジュールは両端がそれぞれ分配器で分岐接続された下り通信回線と上り通信回線とを備え、一方の前記分配器は前記親局装置から該部屋に至る前記同軸ケーブルに接続され、他方の前記分配器には前記子機側中継器アンテナに接続され、前記上り回線と前記下り回線には前記同軸ケーブルの損失分を増幅する増幅器と前記同軸ケーブルの損失対周波数特性の補償となる周波数特性をもつ周波数特性可変回路とがそれぞれ接続されて構成され、
前記親局装置には前記各同軸ケーブルに分配器を介して異なる通信システムの送受信機が接続されていることを特徴とする時分割双方向無線通信装置。
【請求項８】
前記各子機側中継モジュールには前記親局側中継モジュールの電源から前記各同軸ケーブルの中心導体を経て給電されるようになっていることを特徴とする請求項６または７に記載の時分割双方向無線通信装置。
【発明の詳細な説明】
【技術分野】
【０００１】
本発明は、同一周波数を時分割して双方向で通信する時分割双方向通信方式の無線通信装置において、親局装置が設置された部屋以外の複数の部屋の子機との無線通信範囲を拡大できる時分割双方向無線通信中継装置及び時分割双方向無線通信装置に関するものである。
【背景技術】
【０００２】
図５は従来の時分割双方向無線通信装置の一例を示したものである。この場合は、各部屋１ａ，１ｂにその部屋用の親局装置２ａ，２ｂが設置され、各親局装置２ａ，２ｂには親局側アンテナ３ａ，３ｂが接続され、また各部屋１ａ，１ｂにはその部屋用の子機４ａ，４ｂが設置され、各子機４ａ，４ｂには子機側アンテナ５ａ，５ｂが接続され、親局装置２ａ，２ｂの親局側アンテナ３ａ，３ｂおよび子機４ａ，４ｂの子機側アンテナ５ａ，５ｂによって発射された電波が到達する範囲で通信が行われていた。
【０００３】
図６は従来の時分割双方向無線通信装置の他の例を示したものである。この場合は、部屋１ａに親局装置２ａが設置され、親局装置２ａには分配器６を介して親局側アンテナ３ａが接続され、また部屋１ａには子機４ａが設置され、子機４ａには子機側アンテナ５ａが接続されている。また、別の部屋１ｂには親局側アンテナ７が設置され、この親局側アンテナ７が同軸ケーブル８を介して部屋１ａの分配器６に接続され、さらに部屋１ｂにはその部屋用の子機４ｂが設置され、子機４ｂには子機側アンテナ５ｂが接続されている（例えば、特許文献１参照。）。
【０００４】
しかしこの場合には、同軸ケーブル８の損失により無線通信回線の雑音指数が増加し、通信に支障をきたすという問題があり、通信範囲の延長の制約が大きいものであった。
【０００５】
図７は従来の時分割双方向無線通信装置のさらに他の例を示したものである。この場合は、部屋１が大きい場合の例である。この場合には、部屋１の片側に専用の親局装置２が設置され、親局装置２には親局側アンテナ３が接続され、この親局装置２側には子機４ａが設置され、子機４ａには子機側アンテナ５ａが接続され、部屋１の反対側には子機４ｂが設置され、子機４ｂには子機側アンテナ５ｂが接続され、部屋１の中央側にはレピータ（中継装置）９が設置され、レピータ９には親局装置２に対するアンテナ１０ａと子機４ｂに対するアンテナ１０ｂとが設置されている。
【０００６】
このように部屋１が大きい場合には、レピータ９を用いて通信範囲の拡大をしていた。この場合、双方向通信のため子機４ａ側と子機４ｂ側とでは送信周波数と受信周波数を変更していた。さらに、この場合には時分割のフレーム制御が必要で、レピータ９の制御回路が必要となり、親局装置２でもレピータ９を介するためにそれ特有の制御が必要であった。
【０００７】
また、周波数が比較的近い、たとえば１．９ＧＨｚのＰＨＳや、２．４ＧＨｚの無線ＬＡＮ等の時分割双方向通信方式を並列で使用する場合、部屋毎にそれぞれの親局装置を配置していた。
【特許文献１】特開２００２−１８５３８１号公報（図１）
【発明の開示】
【発明が解決しようとする課題】
【０００８】
図５に示す従来の時分割双方向無線通信装置では、親局装置２ａ，２ｂは対応する部屋１ａ，１ｂ内の子機４ａ，４ｂを通信対象としていて、親局装置２ａ，２ｂのアンテナ３ａ，３ｂおよび子機４ａ，４ｂのアンテナ５ａ，５ｂによって発射された電波が到達する範囲で通信が行われていた。そして、部屋１ａ，１ｂ毎に親局装置２ａ，２ｂが配置された構造であった。
【０００９】
このような従来の時分割双方向無線通信装置では、親局装置２ａ，２ｂが設置された部屋１ａ，１ｂ以外の複数の部屋に、通信システムの規格値を満足して安定して通信を拡大することができない問題点があった。このため部屋の用途が会議室等の場合、それらの部屋毎に親局装置を配置するには、経済的に高価となる問題点があった。
【００１０】
また、図６に示す従来の時分割双方向無線通信装置のように、部屋１ａ内の親局装置２ａからアンテナ７を同軸ケーブル８で伸ばして別の部屋１ｂに設置することにより通信範囲を延長した場合には、同軸ケーブル８の損失により無線通信回線の雑音指数が増加し、通信に支障をきたし、通信範囲の延長にも制約が大きい問題点があった。
【００１１】
また、図７に示す従来の時分割双方向無線通信装置のように、レピータ（中継装置）９を用いて通信範囲の拡大をする場合、送信周波数と受信周波数の変更回路、時分割のフレーム制御回路が必要で、親局装置２もレピータ９を介するための制御が必要で、装置も複雑で経済的にも高価となる問題点があった。
【００１２】
さらに、周波数が比較的近い、たとえば１．９ＧＨｚのＰＨＳや、２．４ＧＨｚの無線ＬＡＮ等の時分割双方向通信方式を使用する場合には、部屋毎にそれぞれの親局装置を配置する必要があり、経済的に高価となる問題点があった。
【００１３】
本発明の目的は、部屋毎に親局装置を配置しないで、通信システムの規格値を満足して安定して通信を拡大できる時分割双方向無線通信中継装置及び時分割双方向無線通信装置を提供することにある。
【００１４】
本発明の他の目的は、同軸ケーブルの損失による悪影響を回避して通信が行える時分割双方向無線通信中継装置及び時分割双方向無線通信装置を提供することにある。
【００１５】
本発明の他の目的は、同軸ケーブルの損失対周波数特性を補償して異なる周波数の通信ができる時分割双方向無線通信中継装置及び時分割双方向無線通信装置を提供することにある。
【００１６】
本発明の他の目的は、部屋側の中継装置に親局側から給電できる時分割双方向無線通信中継装置及び時分割双方向無線通信装置を提供することにある。
【課題を解決するための手段】
【００１７】
本発明は、親局装置と通信すべき部屋との間に同軸ケーブルで接続されて配置された時分割双方向無線通信中継装置を対象とする。
【００１８】
本発明に係る時分割双方向無線通信中継装置では、前記部屋側には両端がそれぞれ分配器で分岐接続された下り通信回線と上り通信回線とが設けられ、一方の前記分配器は前記親局装置から該部屋に至る前記同軸ケーブルに接続され、他方の前記分配器には前記部屋のアンテナに接続されるようになっており、前記上り回線と前記下り回線には高周波信号を増幅する増幅器がそれぞれ接続されていることを特徴とする。
【００１９】
また本発明は、親局装置と通信すべき部屋との間に同軸ケーブルで接続されて配置された時分割双方向無線通信中継装置を対象とする。
【００２０】
本発明に係る時分割双方向無線通信中継装置では、前記各部屋側には両端がそれぞれ分配器で分岐接続された下り通信回線と上り通信回線とがそれぞれ設けられ、一方の前記分配器は前記親局装置から該部屋に至る前記同軸ケーブルに接続され、他方の前記分配器には該部屋のアンテナに接続されるようになっており、前記上り回線と前記下り回線には高周波信号を増幅する増幅器がそれぞれ接続されていることを特徴とする。
【００２１】
これらの場合、前記上り回線と前記下り回線の前記各増幅器は、一方の前記分配器に接続される前記同軸ケーブルの損失分を増幅するものであることが好ましい。
【００２２】
また、前記上り回線と前記下り回線には周波数特性可変回路がそれぞれ接続され、前記周波数特性可変回路の周波数特性は一方の前記分配器に接続される前記同軸ケーブルの損失対周波数特性の補償となる周波数特性となっていることが好ましい。
【００２３】
また、前記部屋側の前記中継装置には前記親局装置の電源から前記同軸ケーブルの中心導体を経て給電されるようになっていることことが好ましい。
【００２４】
また、本発明に係る時分割双方向無線通信装置では、親局装置に親局側中継モジュールが接続され、前記親局装置から通信すべき部屋に子機側中継モジュールが設置され、該子機側中継モジュールには子機側中継器アンテナが設けられ、前記親局側中継モジュールと前記子機側中継モジュールとは同軸ケーブルで接続されて中継装置が構成され、
前記通信すべき部屋には異なる通信システムのいずれかの子機または異なる通信システムの子機が配置され、前記子機には子機側アンテナが設けられ、
前記子機側中継モジュールは両端がそれぞれ分配器で分岐接続された下り通信回線と上り通信回線とを備え、一方の前記分配器は前記親局装置から該部屋に至る前記同軸ケーブルに接続され、他方の前記分配器には前記子機側中継器アンテナに接続され、前記上り回線と前記下り回線には前記同軸ケーブルの損失分を増幅する増幅器と前記同軸ケーブルの損失対周波数特性の補償となる周波数特性をもつ周波数特性可変回路とがそれぞれ接続されて構成され、
前記親局装置には前記同軸ケーブルに分配器を介して異なる通信システムの送受信機が接続されていることを特徴とする。
【００２５】
さらに、本発明に係る時分割双方向無線通信装置では、親局装置に親局側中継モジュールが接続され、前記親局装置から通信すべき複数の部屋に子機側中継モジュールがそれぞれ設置され、前記各子機側中継モジュールには子機側中継器アンテナがそれぞれ設けられ、前記親局側中継モジュールと前記各子機側中継モジュールとは同軸ケーブルで個々に接続されて中継装置が構成され、
前記通信すべき部屋には異なる通信システムのいずれかの子機または異なる通信システムの子機が配置され、前記各子機には子機側アンテナがそれぞれ設けられ、
前記各子機側中継モジュールは両端がそれぞれ分配器で分岐接続された下り通信回線と上り通信回線とを備え、一方の前記分配器は前記親局装置から該部屋に至る前記同軸ケーブルに接続され、他方の前記分配器には前記子機側中継器アンテナに接続され、前記上り回線と前記下り回線には前記同軸ケーブルの損失分を増幅する増幅器と前記同軸ケーブルの損失対周波数特性の補償となる周波数特性をもつ周波数特性可変回路とがそれぞれ接続されて構成され、
前記親局装置には前記各同軸ケーブルに分配器を介して異なる通信システムの送受信機が接続されていることを特徴とする。
【００２６】
これらの場合、前記各子機側中継モジュールには前記親局側中継モジュールの電源から前記各同軸ケーブルの中心導体を経て給電されるようになっていることが好ましい。
【発明の効果】
【００２７】
本発明に係る時分割双方向無線通信中継装置では、部屋側には両端がそれぞれ分配器で分岐接続された下り通信回線と上り通信回線とを設け、一方の分配器は親局装置から該部屋に至る同軸ケーブルに接続し、他方の分配器には部屋のアンテナに接続されるようにし、上り回線と下り回線には高周波信号を増幅する増幅器をそれぞれ接続したので、部屋に親局装置を配置しないで、通信システムの規格値を満足して安定して通信を拡大することができる。また、上り回線と下り回線には高周波信号を増幅する増幅器をそれぞれ接続したので、同軸ケーブルの損失による悪影響を加及的に回避して通信を行うことができる。また、各部屋への同軸ケーブルの長さによる通信品質の差異もなくすことができる。
【００２８】
また本発明に係る時分割双方向無線通信中継装置では、各部屋側には両端がそれぞれ分配器で分岐接続された下り通信回線と上り通信回線とをそれぞれ設け、一方の分配器は親局装置から該部屋に至る同軸ケーブルに接続し、他方の分配器には該部屋のアンテナに接続されるようにし、上り回線と下り回線には高周波信号を増幅する増幅器をそれぞれ接続したので、部屋毎に親局装置を配置しないで、通信システムの規格値を満足して安定して通信を拡大することができる。また、上り回線と下り回線には高周波信号を増幅する増幅器をそれぞれ接続したので、同軸ケーブルの損失による悪影響を加及的に回避して通信を行うことができる。さらに、各部屋への同軸ケーブルの長さによる通信品質の差異もなくすことができる。
【００２９】
これらの場合、上り回線と下り回線の各増幅器が、一方の分配器に接続される同軸ケーブルの損失分を増幅するものであると、該同軸ケーブルの損失による悪影響を回避して通信を行うことができる。
【００３０】
また、上り回線と下り回線には周波数特性可変回路をそれぞれ接続し、この周波数特性可変回路の周波数特性が一方の分配器に接続される同軸ケーブルの損失対周波数特性の補償となる周波数特性となっていると、同軸ケーブルの損失対周波数特性を補償して異なる周波数の通信を行うことができる。
【００３１】
また、部屋側の中継装置には親局装置の電源から同軸ケーブルの中心導体を経て給電されるようになっていると、部屋側では電源を置かないで中継を行うことができる。
【００３２】
また、本発明に係る時分割双方向無線通信装置では、親局装置に親局側中継モジュールを接続し、親局装置から通信すべき部屋に子機側中継モジュールを設置し、該子機側中継モジュールには子機側中継器アンテナを設け、親局側中継モジュールと子機側中継モジュールとは同軸ケーブルで接続して中継装置を構成し、通信すべき部屋には異なる通信システムのいずれかの子機または異なる通信システムの子機を配置し、子機には子機側アンテナを設け、子機側中継モジュールは両端がそれぞれ分配器で分岐接続した下り通信回線と上り通信回線とを備え、一方の分配器は親局装置から該部屋に至る同軸ケーブルに接続し、他方の分配器には子機側中継器アンテナに接続し、上り回線と下り回線には同軸ケーブルの損失分を増幅する増幅器をそれぞれ接続して構成し、親局装置には同軸ケーブルに分配器を介して異なる通信システムの送受信機を接続したので、部屋に親局装置を配置しないで、通信システムの規格値を満足して安定して通信を拡大することができる。また、上り回線と下り回線には高周波信号を増幅する増幅器をそれぞれ接続したので、同軸ケーブルの損失による悪影響を回避して通信を行うことができる。また、上り回線と下り回線には周波数特性可変回路をそれぞれ接続し、この周波数特性可変回路の周波数特性が一方の分配器に接続される同軸ケーブルの損失対周波数特性の補償となる周波数特性となっているので、同軸ケーブルの損失対周波数特性を補償して異なる周波数の通信を行うことができる。、各部屋への同軸ケーブルの長さによる通信品質の差異もなくすことができる。さらに、各部屋への同軸ケーブルの長さによる通信品質の差異もなくすことができる。
【００３３】
さらに、本発明に係る時分割双方向無線通信装置では、親局装置に親局側中継モジュールを接続し、親局装置から通信すべき複数の部屋に子機側中継モジュールをそれぞれ設置し、各子機側中継モジュールには子機側中継器アンテナをそれぞれ設け、親局側中継モジュールと各子機側中継モジュールとは同軸ケーブルで個々に接続して中継装置を構成し、通信すべき部屋には異なる通信システムのいずれかの子機または異なる通信システムの子機を配置し、各子機には子機側アンテナをそれぞれ設け、各子機側中継モジュールは両端がそれぞれ分配器で分岐接続した下り通信回線と上り通信回線とを備え、一方の分配器は親局装置から該部屋に至る同軸ケーブルに接続し、他方の分配器には子機側中継器アンテナに接続し、上り回線と下り回線には同軸ケーブルの損失分を増幅する増幅器をそれぞれ接続して構成し、親局装置には各同軸ケーブルに分配器を介して異なる通信システムの送受信機を接続したので、部屋毎に親局装置を配置しないで、通信システムの規格値を満足して安定して通信を拡大することができる。また、上り回線と下り回線には高周波信号を増幅する増幅器をそれぞれ接続したので、同軸ケーブルの損失による悪影響を回避して通信を行うことができる。また、上り回線と下り回線には周波数特性可変回路をそれぞれ接続し、この周波数特性可変回路の周波数特性が一方の分配器に接続される同軸ケーブルの損失対周波数特性の補償となる周波数特性となっているので、同軸ケーブルの損失対周波数特性を補償して異なる周波数の通信を行うことができる。さらに、各部屋への同軸ケーブルの長さによる通信品質の差異もなくすことができる。
【００３４】
また、各子機側中継モジュールには親局側中継モジュールの電源から各同軸ケーブルの中心導体を経て給電されるようになっていると、部屋側では電源を置かないで中継を行うことができる。
【発明を実施するための最良の形態】
【００３５】
図１乃至図３は本発明の時分割双方向無線通信中継装置及び時分割双方向無線通信装置を実施するための最良の形態における第１例を示したもので、図１は本例の時分割双方向無線通信中継装置を含む時分割双方向無線通信装置のブロック図、図２は図１で用いている親局側中継モジュールの構成を示すブロック図、図３は図１で用いている子機側中継モジュールの構成を示すブロック図である。
【００３６】
図１に示すように本例の時分割双方向無線通信装置では、ある場所に親局装置２が配置されている。この親局装置２から時分割双方向無線通信中継装置１１を介して各部屋１ａ，１ｂ，１ｃ，１ｄと時分割双方向無線通信ができるようになっている。
【００３７】
時分割双方向無線通信中継装置１１は、親局装置２に同軸ケーブル１２を介して接続された親局側中継モジュール１３と、親局装置２から通信すべき複数の部屋１ａ，１ｂ，１ｃ，１ｄにそれぞれ配置された子機側中継モジュール１４・・（本例では、説明の簡略化のために部屋１ａのみに子機側中継モジュール１４を配置して、他の部屋１ｂ〜１ｄの子機側中継モジュールの表示を省略している。）と、各子機側中継モジュール１４・・にそれぞれ設けた子機側中継器アンテナ１５・・と、親局側中継モジュール１３と各子機側中継モジュール１４とをそれぞれ個々に接続する同軸ケーブル１６ａ，１６ｂ，１６ｃ，１６ｄとを備えて構成されている。
【００３８】
通信すべき各部屋１ａ〜１ｄには子機４ａ（本例では、説明の簡略化のために部屋１ａのみに子機４ａを配置して、他の部屋１ｂ〜１ｄの子機の表示を省略している。）が配置され、各子機４ａ・・には子機側アンテナ５ａ・・がそれぞれ設けられている。
【００３９】
図２に示すように親局側中継モジュール１３は、分配器１７ａ，１７ｂ，１７ｃを備え、分配器１７ａは同軸コネクタ１８を介して同軸ケーブル１２に接続され、この分配器１７ａの２分配端子は分配器１７ｂ，１７ｃに接続され、分配器１７ｂの２分配端子には同軸コネクタ１９ａ，１９ｂが接続され、同軸コネクタ１９ａ，１９ｂに同軸ケーブル１６ａ，１６ｂが接続され、分配器１７ｃの２分配端子には同軸コネクタ１９ｃ，１９ｄが接続され、同軸コネクタ１９ｃ，１９ｄに同軸ケーブル１６ｃ，１６ｄが接続されている。
【００４０】
各子機側中継モジュール１４・・には、親局側中継モジュール１３の電源２０から各同軸ケーブル１６ａ〜１６ｄの中心導体を経て給電されるようになっている
図３に示すように子機側中継モジュール１４は、両端がそれぞれ分配器２１，２２で分岐接続された下り通信回線２３と上り通信回線２４とを備え、一方の分配器２１は親局装置２から該部屋１ａに至る同軸ケーブル１６ａに同軸コネクタ２５を介して接続され、他方の分配器２２には子機側中継器アンテナ１５に接続され、下り回線２３と上り回線２４とには同軸ケーブル１６ａの損失分を増幅する増幅器２６，２７と同軸ケーブル１６ａの損失対周波数特性の補償となる周波数特性をもつ周波数特性可変回路２８，２９とがそれぞれ接続されて構成されている。図示しない他の子機側中継モジュールも同様に構成されている。
【００４１】
このような構成の中継装置１１は、図３のような構成になっていると、子機側中継器アンテナ１５で受信した上りの高周波信号が、分配器２２から増幅器２７、周波数特性可変回路２９を経由し、分配器２１を通って同軸コネクタ２５に出力するが、その信号はまた分配器２１から周波数特性可変回路２８、増幅器２６、分配器２２を経由して増幅器２７に回り込む。この回り込み量が、発振を引き起こすことのないようにする必要がある。このため本例では、分配器２１、２２に等位相等振幅分配器（通称、ウィルキンソン型分配器）を使用して分配器２１、２２での上り下りのアイソレーションを２０ｄＢ以上確保している。例えば、使用する通信システムにおいて、増幅器２７の入力点で搬送波対雑音比（Ｃ／Ｎ）を２０ｄＢ以上確保すれば、通信システムの規格値を満足するとすれば、増幅器２６、２７は１０ｄＢ以下の範囲で使用する必要がある。いま、増幅器２６、２７の利得を１０ｄＢ、分配器２１、２２のアイソレーションが２０ｄＢとすると、
Ｃ／Ｎ＝｜１０−２０＋１０−２０｜＝２０（ｄＢ）
となる。
【００４２】
このような時分割双方向無線通信中継装置１１では、部屋１ａ〜１ｄ側には両端がそれぞれ分配器２１，２２で分岐接続された下り通信回線２３と上り通信回線２４とを設け、一方の分配器２１は親局装置２から該部屋に至る同軸ケーブル１６ａ〜１６ｄに接続し、他方の分配器２２には部屋１ａ〜１ｄのアンテナ１５・・に接続されるようにし、下り通信回線２３と上り通信回線２４には高周波信号を増幅する増幅器２６，２７をそれぞれ接続したので、部屋１ａ〜１ｄに親局装置を配置しないで、通信システムの規格値を満足して安定して通信を拡大することができる。また、下り通信回線２３と上り通信回線２４には高周波信号を増幅する増幅器２６，２７をそれぞれ接続したので、同軸ケーブル１６ａ〜１６ｄの損失による悪影響を加及的に回避して通信を行うことができる。即ち、また、下り通信回線２３と上り通信回線２４には周波数特性可変回路２８，２９をそれぞれ接続し、この周波数特性可変回路２８，２９の周波数特性が一方の分配器２１・・に接続される同軸ケーブル１６ａ〜１６ｄの損失対周波数特性の補償となる周波数特性となっているので、同軸ケーブル１６ａ〜１６ｄの損失対周波数特性を補償して異なる周波数の通信を行うことができる。さらに、各部屋１ａ〜１ｄへの同軸ケーブル１６ａ〜１６ｄの長さによる通信品質の差異もなくすことができる。また、各子機側中継モジュール１４・・には親局側中継モジュール１３の電源２０から各同軸ケーブル１６ａ〜１６ｄの中心導体を経て給電しているので、部屋１ａ〜１ｄ側では電源を置かないで中継を行うことができる。
【００４３】
図４は本発明の時分割双方向無線通信中継装置及び時分割双方向無線通信装置を実施するための最良の形態における第２例での親局側中継モジュールの構成を示すブロック図である。
【００４４】
本例の時分割双方向無線通信装置では、前述した図２の親局側中継モジュール１３の分配器１７ａの前に分配器１７ｄが接続され、分配器１７ｄの２分配端子に同軸コネクタ３０，３１が接続され、これら同軸コネクタ３０，３１には周波数が比較的近い、たとえば１．９ＧＨｚのＰＨＳや、２．４ＧＨｚの無線ＬＡＮの如き異なる通信システムの送受信機３２，３３が接続されている。図示しないが通信すべき部屋１ａ〜１ｄには異なる通信システムのいずれかの子機または異なる通信システムの子機が配置されている。その他の構成は、前述した図１〜図３と同様になっている。
【００４５】
このように同軸コネクタ３０，３１に異なる通信システムの送受信機３２，３３を接続し、子機側中継モジュール１４・・の下り通信回線２３と上り通信回線２４に周波数特性可変回路２８，２９をそれぞれ接続することによって、同軸ケーブル１６ａ〜１６ｄの周波数特性を補償する。つまり、同軸ケーブル１６ａ〜１６ｄの損失は、周波数が大きくなると大きくなるため、例えば１．９ＧＨｚと２．４ＧＨｚで４ｄＢの損失の差がある場合、周波数特性可変回路２８，２９によって４ｄＢの補償をする。これによって、周波数が異なる無線通信システムの時分割双方向無線通信を行うことができる。
【００４６】
このような時分割双方向無線通信装置では、親局装置２に親局側中継モジュール１３を接続し、親局装置２から通信すべき複数の部屋１ａ〜１ｄに子機側中継モジュール１４・・をそれぞれ設置し、各子機側中継モジュール１４・・には子機側中継器アンテナ１５・・をそれぞれ設け、親局側中継モジュール１３と各子機側中継モジュール１４・・とは同軸ケーブル１６ａ〜１６ｄで個々に接続して中継装置１１を構成し、通信すべき部屋１ａ〜１ｄには異なる通信システムのいずれかの子機または異なる通信システムの子機を配置し、各子機には子機側アンテナをそれぞれ設け、各子機側中継モジュール１４・・は両端がそれぞれ分配器２１，２２で分岐接続した下り通信回線２３と上り通信回線２４とを備え、一方の分配器２１は親局装置２から該部屋１ａ・・に至る同軸ケーブル１６ａ〜１６ｄに接続し、他方の分配器２２には子機側中継器アンテナ１５・・に接続し、下り通信回線２３と上り通信回線２４には同軸ケーブル１６ａ〜１６ｄの損失分を増幅する増幅器２６，２７をそれぞれ接続して構成し、親局装置２には各同軸ケーブル１６ａ〜１６ｄに分配器を介して異なる通信システムの送受信機を接続したので、部屋１ａ〜１ｄ毎に親局装置を配置しないで、通信システムの規格値を満足して安定して通信を拡大することができる。また、下り通信回線２３と上り通信回線２４には高周波信号を増幅する増幅器２６，２７をそれぞれ接続したので、同軸ケーブル１６ａ〜１６ｄの損失による悪影響を回避して通信を行うことができる。即ち、これら増幅器２６，２７によって無線通信回線の雑音指数の増加を押さえることができる。また、下り通信回線２３と上り通信回線２４には周波数特性可変回路２８，２９をそれぞれ接続し、この周波数特性可変回路２８，２９の周波数特性が一方の分配器２１・・に接続される同軸ケーブル１６ａ〜１６ｄの損失対周波数特性の補償となる周波数特性となっているので、同軸ケーブル１６ａ〜１６ｄの損失対周波数特性を補償して異なる周波数の通信を行うことができる。これによって双方向の通信品質の差異をなくすことができる。さらに、各部屋１ａ〜１ｄへの同軸ケーブル１６ａ〜１６ｄの長さによる通信品質の差異もなくすことができる。
【００４７】
また、各子機側中継モジュール１４・・には親局側中継モジュール１３の電源２０から各同軸ケーブル１６ａ〜１６ｄの中心導体を経て給電しているので、部屋１ａ〜１ｄ側では電源を置かないで中継を行うことができる。
【図面の簡単な説明】
【００４８】
【図１】本発明の時分割双方向無線通信中継装置及び時分割双方向無線通信装置を実施するための最良の形態における第１例を示したブロック図である。
【図２】図１で用いている親局側中継モジュールの構成を示すブロック図である。
【図３】図１で用いている子機側中継モジュールの構成を示すブロック図である。
【図４】本発明の時分割双方向無線通信中継装置及び時分割双方向無線通信装置を実施するための最良の形態における第２例での親局側中継モジュールの構成を示すブロック図である。
【図５】従来の時分割双方向無線通信装置の一例の構成を示すブロック図である。
【図６】従来の時分割双方向無線通信装置の他の例の構成を示すブロック図である。
【図７】従来の時分割双方向無線通信装置のさらに他の例の構成を示すブロック図である。
【符号の説明】
【００４９】
１，１ａ，１ｂ  部屋
２，２ａ，２ｂ  親局装置
３ａ，３ｂ  親局側アンテナ  
４ａ，４ｂ  子機
５ａ，５ｂ  子機側アンテナ
６  分配器
７  親局側アンテナ
８  同軸ケーブル
９  レピータ（中継装置）
１０ａ，１０ｂ  アンテナ
１１  時分割双方向無線通信中継装置
１２  同軸ケーブル
１３  親局側中継モジュール
１４  子機側中継モジュール
１５  子機側中継器アンテナ
１６ａ〜１６ｄ  同軸ケーブル
１７ａ〜１７ｃ  分配器
１８  同軸コネクタ
１９ａ〜１９ｂ  同軸コネクタ
２０  電源
２１，２２  分配器
２３  下り通信回線
２４  上り通信回線
２５  同軸コネクタ
２６，２７  増幅器
２８，２９  周波数特性可変回路
３０，３１  同軸コネクタ
３２，３３  異なる通信システムの送受信機
【図１】
2005109631.tif 000003
【図２】
2005109631.tif 000004
【図３】
2005109631.tif 000005
【図４】
2005109631.tif 000006
【図５】
2005109631.tif 000007
【図６】
2005109631.tif 000008
【図７】
2005109631.tif 000009